(57)【要約】      （修正有）【課題】簡単な構成で容易かつ安価に製作でき、略直立姿勢で座板を容易に折畳め、かつリセットでき、座板上の座り心地を簡便に調節して、脚の折畳むことなくスタッキング作業を簡便に行える折畳み椅子を提供する。【解決手段】左右一対の前脚２と後脚３とを側面視略逆Ｖ字形状に連結する。前記前脚または後脚の内側に座板１４またはその支持フレーム２０を前後に回動可能に連結し、座板を折畳み可能にした折畳み椅子において、左右一対の前脚と後脚の上部を不動に連結する。一対の前脚の上部にガイドロッド２５を伸縮可能に設ける。前記ガイドロッドに座板またはその支持フレームの側部を回動可能に取付ける。前記座板またはその支持フレーム前端部の両側を支持リンク１３の上部に回動可能に支持する。前記支持リンクの下部を前脚に回動可能に連結する。前記ガイドロッドの伸縮変位に連動して座板またはその支持フレームと支持リンクを折畳み可能にした。【選択図】図１
2017153585.tif 000002
【特許請求の範囲】
【請求項１】
左右一対の前脚と後脚とを側面視略逆Ｖ字形状に連結し、この前脚または後脚の内側に座板またはその支持フレームを前後に回動可能に連結し、座板を折畳み可能にした折畳み椅子において、左右一対の前脚と後脚の上部を不動に連結し、一対の前脚の上部にガイドロッドを伸縮可能に設け、該ガイドロッドに座板またはその支持フレームの側部を回動可能に取付け、前記座板またはその支持フレームの前端部の両側を支持リンクの上部に回動可能に支持し、該支持リンクの下部を前脚に回動可能に連結し、前記ガイドロッドの伸縮変位に連動して座板またはその支持フレームと支持リンクを折畳み可能にしたことを特徴とする折畳み椅子。
【請求項２】
前記左右一対のガイドロッドの上端部の間に背もたれを配置した請求項１記載の折畳み椅子。
【請求項３】
前記一対のガイドロッドの伸縮変位に連動して、座板またはその支持フレームと支持リンクを起倒可能に設けた請求項１記載の折畳み椅子。
【請求項４】
使用状態の椅子の背もたれをガイドロッドの軸方向に引き上げて、座板またはその支持フレームと支持リンクを折畳み可能にした請求項１記載の折畳み椅子。
【請求項５】
折畳み状態の椅子の座板またはその支持フレームの後部を押し下げて、座板またはその支持フレームと支持リンクをリセット可能にした請求項１記載の折畳み椅子。
【請求項６】
前記支持リンクと前脚の側面視を略Ｖ字形に連結した請求項１記載の折畳み椅子。
【請求項７】
前記支持リンクを略逆Ｕ字形状に形成した請求項１記載の折畳み椅子。
【請求項８】
前記前脚と支持リンクと、座板またはその支持フレームとガイドロッドとで四節回転リンク機構を構成した請求項１記載の折畳み椅子。
【請求項９】
前記一対の前脚に枢支孔を形成した軸受を設け、該軸受に支持リンクの下端部を回動可能に連結した請求項１記載の折畳み椅子。
【請求項１０】
前記前脚と後脚の上端部にジョイントを側方に突設し、該ジョイントの内側に連結枠を掛け渡した請求項１記載の折畳み椅子。
【請求項１１】
前記座板またはその支持フレームの側部に連結ジョイントを回動可能に突設し、該連結ジョイントに前記ガイドロッドを固定した請求項１記載の折畳み椅子。
【請求項１２】
前記座板またはその支持フレームの下面に高さ調整ブロックを取付け、該調整ブロックに螺軸を伸縮可能に設け、該螺軸の端部に調整ハンドルを同動可能に設け、該ハンドルを前記連結枠の周面に係合可能に配置した請求項１０記載の折畳み椅子。
【請求項１３】
前記高さ調整ブロックの側面に前記調整ハンドルと偏心カムを同動可能に軸支し、該偏心カムを連結枠の周面に係合可能に配置した請求項１２記載の折畳み椅子。
【請求項１４】
前記偏心カムの周面に複数のカム溝を設け、該カム溝を連結枠の周面に係合可能に配置した請求項１３記載の折畳み椅子。
【請求項１５】
前記背もたれを円筒状に形成した請求項２記載の折畳み椅子。
【請求項１６】
前記座板またはそのシートフレームの後端部にレバーハンドルを後方に突設し、座板の折畳み時、前記レバーハンドルを前記背もたれに近接して配置した請求項１５記載の折畳み椅子。
【請求項１７】
前記座板の折畳み時、前記背もたれを握持し、かつ前記レバーハンドルに手指を掛け下向きに押圧して、座板またはその支持フレームと支持リンクをリセット可能にした請求項１６記載の折畳み椅子。
【請求項１８】
前記座板またはその支持フレームの側部にＬ字形状のブラケットを取付け、該ブラケットの起立片を連結ジョイントの端部に対向配置し、前記ブラケットに連結ジョイントを回動可能に連結した請求項８記載の折畳み椅子。
【発明の詳細な説明】
【技術分野】
【０００１】
本発明は、簡単な構成で容易かつ安価に製作でき、また不自然な姿勢を強いられることなく略直立姿勢で座板を容易に折畳め、かつリセットできるとともに、座板上の座り心地を簡便に調節して使用上の利便性を向上し、しかも脚の折畳みを要することなくスタッキング作業を簡便に行なえ、スタッキングスペースをコンパクトにした折畳み椅子に関する
【背景技術】
【０００２】
従来の折畳み椅子の中に、上端部に背もたれを取付けたＵ字形状の前フレームと、上端部を前フレームに回動可能に枢着したＵ字形状の後フレームと、後部側面を後フレームの上部に回動可能に枢着し、中間部側面を前フレームの中間部に回動可能に枢着した座を備え、使用時は後フレームを後方へ回動して前フレームと側面視ハ字状に展開し、折畳み時は後フレームを前方へ回動し座を上下方向へ回動して、これらを略平面状に折畳み、折畳んだ複数の椅子を床面に積み重ねて置くようにしたものがある（例えば、特許文献１参照）。
【０００３】
しかし、前記折畳み椅子は、スタッキング時に前後フレームと座を折畳み、これを一つ一つ床面に水平に積み重ね、使用時は折畳んだ椅子を床面から一つ一つ持ち上げ、各部を展開する煩雑な作業を要し、しかも複数の椅子を保管する場合は大きな保管スペースを要する上に、積み重ねた椅子が不安定で崩れる惧れがある問題があった。
【０００４】
このような問題を解決する折畳み椅子として、前脚フレームと後脚フレームと座を備え、後脚フレームの中間部に前脚フレームと後脚フレームとを相対的に回転可能に支持する左右一対の回転支持体を設け、この回転支持体の相対回転によって使用状態から折畳み状態へ移行し、後脚フレームと前脚フレームと座を略平面状に折畳むようにしたものがある（例えば、特許文献２参照）。
【０００５】
しかし、この折畳み椅子は、回転支持体を後脚フレームの外面に表出させて配置しているため、回転支持体が大径になり折畳み椅子の体裁が悪くなる上に、スタッキング時および使用時には前述の椅子と同様な問題があった。
【０００６】
そこで、前述の問題を解決するものとして、上部に背もたれを配置した後脚部材と、後脚部材の上端部に上部を回動自在に連結した前脚部材と、前後脚部材の中間部に両端部を回動自在に連結した座部体とを備え、座部体の後端部に左右一対のブラケットを突設し、その先端にスライド軸を突設し、該スライド軸を後脚部材の中間部に形成したガイド溝に摺動可能に挿入し、スタッキング時に後脚部材を前脚部材の間に移動して略平面的に折畳み、使用時に後脚部材を後方へ移動して、前後脚部材を起立させるようにしたものがある（例えば、特許文献３参照）。
【０００７】
しかし、前記折畳み椅子は、スタッキング時に前後脚部材と座を略平面状に折畳み、これを一つ一つ例えば床面に水平に積み重ね、使用時は折畳んだ椅子を床面から一つ一つ持ち上げ、各部を展開する煩雑な作業を要し、しかも複数の椅子を保管する場合は大きな保管スペースを要する上に、積み重ねた椅子が不安定で崩れる惧れがある等の問題があった
【先行技術文献】
【特許文献】
【０００８】
【特許文献１】特開平９−６５９４９号公報
【特許文献２】特開２００２−１４２９０１号公報
【特許文献３】特許第３４７７０１４号公報
【発明の概要】
【発明が解決しようとする課題】
【０００９】
本発明はこのような問題を解決し、簡単な構成で容易かつ安価に製作でき、また不自然な姿勢を強いられることなく略直立姿勢で座板を容易に折畳め、かつリセットできるとともに、座板上の座り心地を簡便に調節して使用上の利便性を向上し、しかも脚の折畳みを要することなくスタッキング作業を簡便に行なえ、スタッキングスペースをコンパクトにした折畳み椅子を提供することを目的とする。
【課題を解決するための手段】
【００１０】
請求項１の発明は、左右一対の前脚と後脚とを側面視略逆Ｖ字形状に連結し、この前脚または後脚の内側に座板またはその支持フレームを前後に回動可能に連結し、座板を折畳み可能にした折畳み椅子において、左右一対の前脚と後脚の上部を不動に連結し、一対の前脚の上部にガイドロッドを伸縮可能に設け、該ガイドロッドに座板またはその支持フレームの側部を回動可能に取付け、前記座板またはその支持フレームの前端部の両側を支持リンクの上部に回動可能に支持し、該支持リンクの下部を前脚に回動可能に連結し、前記ガイドロッドの伸縮変位に連動して座板またはその支持フレームと支持リンクを折畳み可能にし、左右一対の前脚と後脚の上部を不動に連結してその折畳み作業を不要にし、スタッキング作業の容易化を図るともに、左右一対の前脚と後脚を常時床面に立設可能にして椅子の安定化と移動の容易化を図り、またガイドロッドの伸縮変位によって支持リンクと座板またはその支持フレームを起倒させ、従来のように前後脚の煩雑な折畳み操作や不自然な折り畳み姿勢を強いられることなく簡便に折畳め、かつリセットし得るとともに、簡単な構成で容易かつ安価に製作できるようにしている。
【００１１】
請求項２の発明は、左右一対のガイドロッドの上端部の間に背もたれを配置し、ガイドロッドの伸縮変位に背もたれを同動させて、前脚と背もたれの間に支持リンクと座板またはその支持フレームの折畳みスペースを形成し、それらのフラットスタッキングを実現し得るようにしている。
請求項３の発明は、一対のガイドロッドの伸縮変位に連動して、座板またはその支持フレームと支持リンクを起倒可能に設け、従来のように不自然な折畳み姿勢を強いられる操作を廃し、背もたれまたは座板の操作によりガイドロッドを伸縮させて、操作者が略直立姿勢を維持して簡便に折畳め、かつリセットし得るようにしている。
請求項４の発明は、使用状態の椅子の背もたれをガイドロッドの軸方向に引き上げて、座板またはその支持フレームと支持リンクを折畳み可能にし、従来のように煩雑で不自然な折り畳み姿勢を強いられることなく簡便に折畳めスタッキングを行なえるようにしている。
請求項５の発明は、折畳み状態の椅子の座板またはその支持フレームの後部を押し下げて、座板またはその支持フレームと支持リンクをリセット可能にし、従来のように煩雑で不自然なリセット姿勢を強いられることなく簡便にリセットし得るようにしている。
【００１２】
請求項６の発明は、支持リンクと前脚の側面視を略Ｖ字形に連結し、支持リンクと前脚をトラス構造に形成し、堅牢な構造と安定性の向上を図るようにしている。
請求項７の発明は、支持リンクを略逆Ｕ字形状に形成し、簡単な構成によって容易かつ安価に支持リンクを製作できるようにしている。
請求項８の発明は、前脚と支持リンクと、座板またはその支持フレームとガイドロッドとで四節回転リンク機構を構成し、各部の安定した作動を得られるようにしている。
請求項９の発明は、一対の前脚に枢支孔を形成した軸受を設け、該軸受に支持リンクの下端部を回動可能に連結し、簡潔なリンク機構よって支持リンクと座板の前端部との安定した構造を得るようにしている。
請求項１０の発明は、前脚と後脚の上端部にジョイントを側方に突設し、該ジョイントの内側に連結枠を掛け渡し、椅子の構造の安定化を図るようにしている。
請求項１１の発明は、座板またはその支持フレームの側部に連結ジョイントを回動可能に突設し、該連結ジョイントに前記ガイドロッドを固定し、座板またはその支持フレームと連結ジョイントとの安定かつ円滑な作動を得られるようにしている。
【００１３】
請求項１２の発明は、座板またはその支持フレームの下面に高さ調整ブロックを取付け、該調整ブロックに螺軸を伸縮可能に設け、該螺軸の端部に調整ハンドルを同動可能に設け、該ハンドルを前記連結枠の周面に係合可能に配置し、調整ハンドルの調整操作によって座板またはその支持フレームの高さを調整し、座板またはその支持フレームの前上がり状態や前下がり状態、或いは水平状態を容易に形成して、使用者の好みに応じた座板の座り心地を得られ、使用上の利便性を向上するようにしている。
請求項１３の発明は、高さ調整ブロックの側面に前記調整ハンドルと偏心カムを同動可能に軸支し、該偏心カムを連結枠の周面に係合可能に配置し、調整ハンドルの操作によって座板またはその支持フレームの高さを連続的かつ簡便に調整し、使用者の好みに応じた座板の座り心地を得られるようにしている。
請求項１４の発明は、偏心カムの周面に複数のカム溝を設け、該カム溝を連結枠の周面に係合可能に配置し、偏心カムを連結枠の周面に安定して位置付け、使用上の安全性を向上するようにしている。
【００１４】
請求項１５の発明は、背もたれを円筒状に形成し、使用者の好みに応じた感触を得られるようにしている。
請求項１６の発明は、座板またはそのシートフレームの後端部にレバーハンドルを後方に突設し、座板の折畳み時、前記レバーハンドルを前記背もたれに近接して配置し、簡単な構成によって折畳まれた座板を簡便にリセットし得るようにしている。
請求項１７の発明は、座板の折畳み時、前記背もたれを握持し、かつ前記レバーハンドルに手指を掛け下向きに押圧して、座板またはその支持フレームと支持リンクをリセット可能にし、レバーハンドルの簡単な操作によって折畳まれた座板を簡便にリセットし得るようにしている。
請求項１８の発明は、座板またはその支持フレームの側部にＬ字形状のブラケットを取付け、該ブラケットの起立片を連結ジョイントの端部に対向配置し、前記ブラケットに連結ジョイントを回動可能に連結し、簡単な構成によって座板またはその支持フレームと連結ジョイントとの連結を実現し得るようにしている。
【発明の効果】
【００１５】
請求項１の発明は、左右一対の前脚と後脚の上部を不動に連結し、一対の前脚の上部にガイドロッドを伸縮可能に設け、該ガイドロッドに座板またはその支持フレームの側部を回動可能に取付け、前記座板またはその支持フレームの前端部の両側を支持リンクの上部に回動可能に支持し、該支持リンクの下部を前脚に回動可能に連結し、前記ガイドロッドの伸縮変位に連動して座板またはその支持フレームと支持リンクを折畳み可能にしたから、左右一対の前脚と後脚の上部を不動に連結してその折畳み作業を不要にし、スタッキング作業の容易化を図れるともに、左右一対の前脚と後脚を常時床面に立設可能にさせて椅子の安定化と移動の容易化を図り、またガイドロッドの伸縮変位によって支持リンクと座板またはその支持フレームを起倒させ、従来のように前後脚の煩雑な折畳み操作や不自然な折り畳み姿勢を強いられることなく簡便に折畳めるとともに、リセットし得、しかも簡単な構成で容易かつ安価に製作することができる。
【００１６】
請求項２の発明は、左右一対のガイドロッドの上端部の間に背もたれを配置したから、ガイドロッドの伸縮変位に背もたれを同動させて、前脚と背もたれの間に支持リンクと座板またはその支持フレームの折畳みスペースを形成し、それらのフラットスタッキングを実現することができる。
請求項３の発明は、一対のガイドロッドの伸縮変位に連動して、座板またはその支持フレームと支持リンクを起倒可能に設けたから、従来のように不自然な折畳み姿勢やリセット姿勢を強いられる操作を廃し、背もたれまたは座板の操作によりガイドロッドを伸縮させて、操作者が略直立姿勢を維持して簡便に折畳め、かつリセットすることができる。
請求項４の発明は、使用状態の椅子の背もたれをガイドロッドの軸方向に引き上げて、座板またはその支持フレームと支持リンクを折畳み可能にし、従来のように煩雑で不自然な折り畳み姿勢を強いられることなく簡便に折畳めスタッキングすることができる。
請求項５の発明は、折畳み状態の椅子の座板またはその支持フレームの後部を押し下げて、座板またはその支持フレームと支持リンクをリセット可能にしたから、従来のように煩雑で不自然なリセット姿勢を強いられることなく簡便にリセットすることができる。
【００１７】
請求項６の発明は、支持リンクと前脚の側面視を略Ｖ字形に連結したから、支持リンクと前脚をトラス構造に形成し、堅牢な構造と安定性の向上を図ることができる。
請求項７の発明は、支持リンクを略逆Ｕ字形状に形成したから、簡単な構成によって容易かつ安価に支持リンクを製作することができる。
請求項８の発明は、前脚と支持リンクと、座板またはその支持フレームとガイドロッドとで四節回転リンク機構を構成したから、各部の安定した作動を得ることができる。
請求項９の発明は、一対の前脚に枢支孔を形成した軸受を設け、該軸受に支持リンクの下端部を回動可能に連結したから、簡潔なリンク機構よって支持リンクと座板の前端部との安定した構造を得られる効果がある。
請求項１０の発明は、前脚と後脚の上端部にジョイントを側方に突設し、該ジョイントの内側に連結枠を掛け渡したから、椅子の安定した構造得ることができる。
請求項１１の発明は、座板またはその支持フレームの側部に連結ジョイントを回動可能に突設し、該連結ジョイントに前記ガイドロッドを固定したから、座板またはその支持フレームと連結ジョイントとの安定かつ円滑な作動を得られる効果がある。
【００１８】
請求項１２の発明は、座板またはその支持フレームの下面に高さ調整ブロックを取付け、該調整ブロックに螺軸を伸縮可能に設け、該螺軸の端部に調整ハンドルを同動可能に設け、該ハンドルを前記連結枠の周面に係合可能に配置したから、調整ハンドルの調整操作によって座板またはその支持フレームの高さを調整でき、座板またはその支持フレームの前上がり状態や前下がり状態、若しくは水平状態を容易に形成して、使用者の好みに応じた座板の座り心地を得られ、使用上の利便性を向上することができる。
請求項１３の発明は、高さ調整ブロックの側面に前記調整ハンドルと偏心カムを同動可能に軸支し、該偏心カムを連結枠の周面に係合可能に配置したから、調整ハンドルの操作によって座板またはその支持フレームの高さを連続的かつ簡便に調整でき、使用者の好みに応じた座板の座り心地を得ることができる。
請求項１４の発明は、偏心カムの周面に複数のカム溝を設け、該カム溝を連結枠の周面に係合可能に配置したから、偏心カムを連結枠の周面に安定して位置付け、使用上の安全性を向上することができる。
【００１９】
請求項１５の発明は、背もたれを円筒状に形成したから、使用者の好みに応じた感触を得ることができる。
請求項１６の発明は、座板またはそのシートフレームの後端部にレバーハンドルを後方に突設し、座板の折畳み時、前記レバーハンドルを前記背もたれに近接して配置したから、簡単な構成によって折畳まれた座板を簡便にリセットすることができる。
請求項１７の発明は、座板の折畳み時、前記背もたれを握持し、かつ前記レバーハンドルに手指を掛け下向きに押圧して、座板またはその支持フレームと支持リンクをリセット可能にしたから、レバーハンドルの簡単な操作によって折畳まれた座板を簡便にリセットすることができる。
請求項１８の発明は、座板またはその支持フレームの側部にＬ字形状のブラケットを取付け、該ブラケットの起立片を連結ジョイントの端部に対向配置し、前記ブラケットに連結ジョイントを回動可能に連結したから、簡単な構成によって座板またはその支持フレームと連結ジョイントとの連結を実現することができる。
【図面の簡単な説明】
【００２０】
【図１】本発明を適用した折畳み椅子の使用状態を示す斜視図で、座板上のクッションを省略している。
【図２】図１の正面図である。
【図３】図１の背面図である。
【図４】図１の平面図である。
【図５】本発明の要部を分解して示す斜視図である。
【００２１】
【図６】本発明に適用した座板アセンブリを拡大して示す斜視図である。
【図７】本発明に適用した座板とそのシートブラケット、支持フレームとブラケット、連結ジョイントとガイドロッドとの組み付け状況を分解し拡大して示す斜視図である。
【図８】本発明に適用した座板とそのシートブラケット、支持フレームとブラケット、連結ジョイントとガイドロッドとの組み付け状況を拡大して示す平面図である。
【図９】本発明に適用した一対のガイドロッドと連結ジョイントを拡大して示す斜視図である。
【００２２】
【図１０】本発明を適用した折畳み椅子の使用状態を示す側面図である。
【図１１】本発明を適用した折畳み椅子の折り畳み初期の状態を示す側面図である。
【図１２】本発明を適用した折畳み椅子の折り畳み後の状態を示す側面図である。
【図１３】本発明を適用した折畳み椅子の折り畳み後のスタッキング状態を示す側面図である。
【図１４】本発明を適用した折畳み椅子の折り畳み後のリセット操作の初期状態を示す側面図である。
【図１５】本発明を適用した折畳み椅子のリセット操作の中途状態を示す側面図である。
【図１６】本発明を適用した折畳み椅子のリセット操作後の使用状態を復旧した側面図である。
【００２３】
【図１７】本発明の第２の実施形態の使用状態を示す側面図である。
【図１８】本発明の第３の実施形態の使用状態を示す斜視図である。
【図１９】前記第３の実施形態に適用したフレーム構造の概要を示す斜視図である。
【図２０】前記第３の実施形態に適用したレバーハンドルによるリセット操作の状況を示す斜視図である。
【図２１】前記第３の実施形態に適用した高さ調整ブロックの取付け状況の要部を示す斜視図である。
【００２４】
【図２２】（ａ）は前記高さ調整ブロックの組み付け状況の要部を示す正面図、（ｂ）は前記高さ調整ブロックの作動状況を示す正面図で、座板を前上がり状態に調整している。（ｃ）は前記高さ調整ブロックの作動状況を示す正面図で、座板を前下がり状態に調整している。
【図２３】本発明の第４の実施形態の要部を示す正面図である。
【発明を実施するための形態】
【００２５】
以下、本発明の実施形態を図示の実施形態について説明すると、図１乃至図１６において１は折畳み椅子の基枠で、これは左右一対の前脚２と後脚３とを逆Ｖ字形状に組み付け、それらの上端部を中空筒状のジョイント４，５を介して連結し、それらの下端部にキャスター６，７を取付け、床面８を移動可能にしている。前記ジョイント５，５の間に連結枠９が同軸上に配置され、また前脚２，２の上部に補強枠１０が掛け渡されていて、それらの強度を強化している。
【００２６】
実施形態では後脚３を前脚２よりも大径に形成し、前記ジョイント４，５の外周面の内外位置に前脚２と後脚３の上端部を固定し、その下端部を内外に配置して前脚２の外側に後脚３を配置し、椅子の安定化を図っている。
前記補強枠１０は両端部１０ａ，１０ａを上方に折り曲げ、折畳み時に後述の支持リンクとの接触を回避している。
【００２７】
前記前脚２，２の下端部でキャスター６，６の直上位置に筒状の軸受１１，１１を配置し、その内側に枢支孔１２，１２を形成し、該枢支孔１２，１２に前記支持リンク１３の屈曲部１３ａ，１３ａを挿入して、その枢支孔１２，１２を中心に支持リンク１３を前後方向へ回動可能に支持している。
前記支持リンク１３は、左右一対の円管の一端に屈曲部１３ａを形成し、該屈曲部１３ａ，１３ａに逆Ｕ字形状の枢支部１３ｂの両端部を連結し、前記屈曲部１３ａ，１３ａを軸受１１，１１に回動可能に取付け、枢支部１３ｂを後述する側面板の通孔に回動可能に配置している。
【００２８】
前記座板１４の前端部に支持リンク１３の枢支部１３ｂが回動可能に取付けられ、常時は座板１４の前端部１４ａで隠蔽されている。
すなわち、前記座板１４は側面視略Ｓ字形の断面形状に形成され、その上面の座面に柔軟なクッション（図示略）が敷設され、前端部に下向きに湾曲した前端面１４ａが形成され、後端部に上向きに湾曲した幅広な後端面１４ｂが形成されていて、それらの下面に略同形断面の補強板１５が取付けられている。
【００２９】
前記補強板１５の前端部の両側に側面板１５ａ，１５ａが形成され、該側面板１５ａ，１５ａに通孔１６，１６が形成され、この通孔１６，１６に支持リンク１３の枢支部１３ｂが回動可能に挿入されている。
前記座板１４の中間部両側にマウント部１７，１７が略山形に突出成形され、その両端部にシートブラケットである板状のマウンティングブラケット１８，１８が下向きに一体成形され、その側端面の中央に枢支孔１９が形成されている。
【００３０】
前記マウンティングブラケット１８の下端部は内側に屈曲され、これを補強板１５の下面と両側の支持フレーム２０との間に配置している。
前記支持フレーム２０は矩形断面の鋼管で構成され、これを補強板１５の直下に前後方向に配置し、かつその両端部を補強枠２３で連結して、前記マウンティングブラケット１８，１８と後述するブラケットを介して座板１４を支持している。
実施形態では支持フレーム２０を管体に構成しているが、座板１４と略同形の板体に構成することも可能である。
【００３１】
前記マウンティングブラケット１８の対向位置にブラケット２１が配置され、該ブラケット２１は鋼板をＬ字形に屈曲して形成され、その起立片２１ａに枢支孔１９と略同径の通孔２２を形成し、該通孔２２に後述する枢軸を回動可能に挿入している。
前記他方の屈曲片２１ｂは細長に形成され、これを他方のマウンティングブラケット１８の下方に延長し、かつその両側部を支持フレーム２０，２０の下面に溶接している。
【００３２】
前記一対の前脚２，２に長尺のガイドロッド２５，２５が摺動かつ伸縮可能に挿入され、その中間部の同高位置に連結ジョイント２６，２６が溶接されて不動に取付けられ、この連結ジョイント２６，２６を貫通してガイドロッド２５，２５の上端部が上方に突出している。
前記連結ジョイント２６，２６は円筒状に形成され、その対向面に薄厚のボス２６ａ，２６ａが突設され、該ボス２６ａ，２６ａに枢軸２７，２７が突設されている。
【００３３】
前記枢軸２７，２７は通孔２２および枢支孔１９に回動可能に挿入され、その内側にネジ孔２８，２８が形成され、該ネジ孔２８，２８に枢支孔１９の内側からビス（図示略）を挿入し、その螺軸をネジ孔２８にねじ込んで、マウンティングブラケット１８，１８に枢軸２７，２７を回動可能に取付けている。
前記ガイドロッド２５，２５の上端部は背もたれ２９の軸筒部２９ａ，２９ａに挿入され、これらをビス止めしている。
【００３４】
そして、前記前脚２と支持リンク１３と座板１４とガイドロッド２５とで４節回転リンク機構を構成し、ガイドロッド２５の伸縮変位によって、座板１４との回動角度（挟角）を変化させ、これに支持リンク１３を揺動させてそれらの折畳み操作と展開操作を実行可能にしている。
すなわち、ガイドロッド２５の伸長変位によって支持リンク１３と座板１４を折畳み、ガイドロッド２５の縮小変位によってこれらを展開可能にしている。
実施形態ではガイドロッド２５の伸縮変位を約２０ｃｍに設定し、当該変位を形成する人力による引上力ないし押圧力を約１ｋｇ以下に設定し、この折畳みないし展開操作を１秒以下で実行可能にしている。この他、図中、３０は座板１４の後端部１４ｂに形成した手掛孔である。
【００３５】
このように構成した折畳みテーブルは、概ね基枠１と支持リンク１３、座板１４のアセンブリと左右一対のガイドロッド２５，２５、背もたれ２９からなり、それらの製作ないし組み付けを要する。
先ず、前後脚２，３、ジョイント４，５は所定径の鋼管を所定長に切断して形成し、基枠１の組み立てに際しては、連結枠９の両端部にジョイント４，５を連結し、該ジョイント４，５の外側に後脚３，３の上端部を連結し、ジョイント４，５の内側に前脚２，２の上端部を連結して、それらを側面視、逆Ｖ字形状に組み付ける。
【００３６】
そして、前脚２，２と後脚３，３の下端部にキャスター６，７を取付け、キャスター６，７の直上に枢支孔１２，１２を形成した軸受１１，１１を取付け、また前脚２，２の上部に補強枠１０を掛け渡して基枠１の強度を強化する。
また、前記支持リンク１３は、左右一対の円管からなる鋼管を逆Ｕ字形状に形成し、その一端に屈曲部１３ａを形成し、その他端に直管状の枢支部１３ｂを形成する。
そして、軸受１１，１１の内側の枢支孔１２，１２に屈曲部１３ａ，１３ａを回動可能に挿入し、枢支部１３ｂを側面板１５ａの通孔１６に回動可能に挿入し、前端面１４ａの内側に回動可能に配置する。
【００３７】
一方、前記座板１４のアセンブリは、座板１４と支持フレーム２０、ブラケット２１と補強枠２３とからなり、このうち座板１４は合成樹脂板を略Ｓ字形断面に成形し、その前後端部に下向きおよび上向きに湾曲形成した前端部１４ａと後端部１４ｂを形成する。
前記座板１４の中間部の両側に略山形のマウント部１７，１７を突出成形し、その両側端部に枢支孔１９を形成したマウンティングブラケット１８を下向きに一体成形する。
【００３８】
前記支持フレーム２０は左右一対の矩形断面の鋼管を所定長さに形成し、それらを補強枠２３で連結する。前記ブラケット２１は鋼板の両端部をＬ字形に屈曲し、両側部を支持フレーム２０，２０の下面に溶接し、その両端部に起立片２１ａ，２１ａを形成する。
前記起立片２１ａ，２１ａに通孔２２，２２を形成し、この起立片２１ａ，２１ａをマウンティングブラケット１８の側端面に重合配置し、通孔２２を枢支孔１９に位置合わせし、これに連結ジョイント２６の枢軸２７を挿入可能にする。
【００３９】
前記ガイドロッド２５，２５は小径の長尺の鋼管からなり、これを所定長さに切断し、その中間部に連結ジョイント２６，２６を溶接等で固定し、該ジョイント２６，２６を貫通してガイドロッド２５，２５を上方に突出し、その上端部に背もたれ２９の軸筒部２９ａを挿入し、これをビス止めする。
【００４０】
次に、前記基枠１に座板１４のアセンブリを組み付ける場合は、基枠１を床面８上に立設し、前脚２，２の上端部にガイドロッド２５，２５の下端部を差し込み、その連結ジョイント２６，２６の間にブラケット２１，２１を配置する。
また、支持リンク１３の枢支部１３ｂを側面板１５ａの通孔１６に挿入し、これを前端面１４ａの内側に配置して隠蔽し、軸受１１，１１の枢支孔１２，１２に屈曲部１３ａ，１３ａを挿入する。
【００４１】
そして、連結ジョイント２６の内側に突設した枢軸２７をブラケット２１の通孔２２に挿入し、その先端をマウンティングブラケット１８の枢支孔１９に挿入し、該ブラケット１８の内側からビス（図示略）を枢軸２７のネジ孔２８にねじ込む。
このようにして、マウンティングブラケット１８に連結ジョイント２６を同軸上で回動可能に連結し、該連結ジョイント２６を貫通したガイドロッド２５を上方に突出し、マウンティングブラケット１８にブラケット２１を連結して、該ブラケット２１に支持フレーム２０，２０を一体的に取付ける。
【００４２】
こうして組み付けた折り畳み椅子は図１乃至図４のようで、使用時には座板１４上にクッション（図示略）を敷設してマウント部１７，１７を隠蔽する。
前記折り畳み椅子は図示のように、前脚２，２と後脚３，３、および前脚２，２と支持リンク１３によるＶ字機構ないしトラス構造と、内外に配置した前脚２，２と後脚３，３によって、堅牢かつ安定した構造に構成される。また、座板１４の前端部が後端部よりも若干上方に位置し、図１および図１０のように前上がり状態に組み付けられる。
【００４３】
このような折畳み椅子の使用時に座板１４に着座すると、その重量は前脚２，２および後脚３，３、並びに支持リンク１３に分散して支持され、それらの負荷が軽減されて長期の使用に堪えられる。
前記使用後、折り畳み椅子を折畳んで保管する場合は、使用者が椅子の後方に立ち、背もたれ２９の中央部を保持して引き上げる。この状況は図１０のようである。
【００４４】
このようにすると、背もたれ２９の軸筒部２９ａ，２９ａに固定したガイドロッド２５，２５が引き上げられ、該ガイドロッド２５，２５に固定された連結ジョイント２６，２６が同動し、連結ジョイント２６，２６に連結されたマウンティングブラケット１８，１８が座板１４と一緒に同動かつ回動する。
このため、座板１４の側端部１４ｂが上方へ牽引され、座板１４が連結ジョイント２６，２６を中心に図１０上反時計方向へ回動し、その後端部１４ｂが上方へ回動変位する。
この状況は図１１のようである。
【００４５】
このように座板１４が上向きに回動すると、座板１４の前端部が枢支孔１９を中心に下向きに変位し、支持リンク１３の枢支部１３ｂを内側へ押し下げる。このため、支持リンク１３が軸受１１の枢支孔１２を中心に図１１上時計方向へ回動し、支持リンク１３と座板１４との枢支部が前脚２側へ移動する。これらの変位は、前脚２と支持リンク１３と座板１４とガイドロッド２５とで構成する４節回転リンク機構を基に形成される。
【００４６】
この後、ガイドロッド２５，２５を更に引き上げると、連結ジョイント２６，２６がこれに同動して、支持リンク１３と座板１４が側面視、略一直線状ないし同一平面状になり、これらが折畳まれて側面視、前脚２ないしガイドロッド２５に重合する。この状況は図１２のようである。
【００４７】
このような折畳み作業は、背もたれ２９を介しガイドロッド２５を約２０ｃｍ引き上げることで実行され、その引き上げ力は約１ｋｇ以下で、この折畳みを１秒以下で達成できるから、これを簡易かつ迅速に行なえる。
しかも、前記折畳みは、前脚２および後脚３の折畳みを伴わないから、従来の折畳み椅子の操作に比べ、不自然な折畳み姿勢を強いられず簡便かつ迅速に行なえる。
【００４８】
前記折畳み後は、支持リンク１３と座板１４とが前述のように略一直線状になるから、前記リンク機構によって背もたれ２９の変位が制限され、以降の引き上げが不可能になる
こうして折畳んだ椅子は所望位置へ移動して保管されるが、前脚２および後脚３は終始立設され、これらにキャスター６，７が取付けられているから、従来のように折畳んだ椅子を床面に水平に横置し、これに後行の椅子を順次積み重ねる煩雑な作業と段重ねによる崩れの不安を解消し、迅速かつ安定してコンパクトにスタッキング作業を行なえる。
また、折畳んだ複数の椅子は、前脚２および後脚３が内外位置に配置されているから、例えば後行の椅子の前脚２，２を先行の椅子の後脚３，３間に挿入することによって、先後の椅子を密着させるフラットスタッキングを行なえ、スタッキングスペースのコンパクト化を図れる。この状況は図１３のようである。
【００４９】
一方、スタッキングした折畳み椅子を使用する場合は、折畳んだ椅子を使用位置へ移動し、例えば使用者が椅子の後方に立ち、座板１４の中間部を斜め前方へ押し下げる。この状況は図１４のようである。
このようにすると、座板１４が斜め前方へ押し下げられ、その変位が連結ジョイント２６を介してガイドロッド２５を押し下げ、該ガイドロッド２５の変位が縮小する。
【００５０】
このため、座板１４が連結ジョイント２６を中心に図１５上時計方向へ回動し、座板１４の前端部に枢着した支持リンク１３の枢支部１３ｂを引き上げ、支持リンク１３が軸受１１の枢支孔１２を中心に図１５上反時計方向へ回動して起立回動し、座板１４の前端部が上向きに回動して使用時の状態を回復し、リセットされる。この状況は図１６のようである。
【００５１】
その際、前述のリセット操作は１ｋｇ以下の僅かな力で座板１４を約２０ｃｍ押し下げることによって、折畳み椅子を迅速に展開でき、その使用状態の姿勢を回復できる。したがって、従来のように折畳んだ椅子を起立させ、その前脚２と後脚３を回動させる煩雑な作業から解消される。
【００５２】
このように本発明の折畳みテーブルは、前脚２と後脚３の起立状態を終始維持し、前脚２の一端部に支持リンク１３の下端部を回動可能に支持するとともに、前脚２の他端部にガイドロッド２５を伸縮可能に取付け、該ガイドロッド２５の中間部に座板１４の側部を回動可能に支持し、該座板１４の前端部に支持リンク１３の上端部を回動可能に支持し、ガイドロッド２５の伸縮変位によって支持リンク１３と座板１４を起倒可能に構成して、支持リンク１３と座板１４を折畳み可能にしたものである。
【００５３】
なお、前述の実施形態では座板１４の両側に異形のマウンティングブラケット１８，１８を突出成形し、該ブラケット１８，１８に別のブラケット２１，２１を重合し、これらに連結ジョイント２６，２６の枢軸２７，２７を挿入して、座板１４の両側を回動可能に支持しているが、例えば前記マウンティングブラケット１８，１８を省略して座板１４を略平板状に構成することも可能である。
【００５４】
そして、ブラケット２１の屈曲片２１ｂの両端部に支持フレーム２０を載置し、これらを溶接して、支持フレーム２０の外側にブラケット２１の起立片２１ａを起立して配置し、その通孔２２に内側からビス（図示略）を挿入し、これを枢軸２７，２７に設けたネジ孔（図示略）にねじ込んで回動可能に連結する。
このようにすると、支持フレーム２０の上面に座板１４を載せ、これをビス止めして簡単に取付けられる。
【００５５】
図１７乃至図２３は本発明の他の実施形態を示し、前述の実施形態の構成と対応する部分に同一の符号を用いている。このうち、図１７は本発明の第２の実施形態を示し、この実施形態は前脚２，２の中高位置に軸受１１，１１を取付け、該軸受１１，１１とキャスター６の支持ボルト（図示略）とを支持ロッド３１で連結している。
このようにして組み付けた実施形態の側面視は、図示のように支持リンク１３と後脚３とが斜め平行に配置され、その美観ないしデザインが向上する。
【００５６】
図１８乃至図２３は本発明の第３の実施形態を示し、この実施形態は前脚２，２の上端部にジョイント４，５を溶接して側方に突出し、支持フレーム２０，２０の後端部に連結ジョイント２６，２６と一体の枢軸２７，２７を挿入し、そのネジ孔２８に支持フレーム２０，２０の内側からビス３２ないしボルトをねじ込んで、連結ジョイント２６，２６を回動可能に取付けている。
【００５７】
前記連結ジョイント２６，２６の先端部に軸方向と直交方向にスライド孔（図示略）を形成し、該スライド孔にガイドロッド２５，２５を摺動可能に挿入し、その周縁部を溶接するとともに、その上端部を逆Ｕ字形に屈曲し、その屈曲部に円柱状の背もたれ３３を取付けている。
前記背もたれ３３は柔軟なゴムまたはブランケット、布等を多層に捲回して形成され、その中央に前記連結ジョイント２６，２６の上端部を差し込んで、背もたれ３３を僅かに回動可能に支持している。
前記支持フレーム２０，２０上に合成樹脂製のシートフレーム３４がビス止めして取付けられ、該シートフレーム３４上に座板１４ないし板状のクッションが取付けられている
【００５８】
前記シートフレーム３４の後端部に、板状のレバーハンドル３５が一体成形されて後方に突設され、前記背もたれ３３と近接して配置されている。
前記レバーハンドル３５は、折畳んだ座板１４をリセットする際、図２０のように背もたれ３３を軽く握持し、手指３６を伸ばしてレバーハンドル３５に掛け、該レバーハンドル３５を下向きに押圧してシートフレーム３４の後端部を同動させる。
そして、シートフレーム３４の前端部を連結ジョイント２６の枢軸２７を支点に上向きに変位させ、支持リンク１３，１３を軸受１１を中心に前方へ起立回動させて、シートフレーム３４ないし座板１４をリセット可能にし、その操作を簡便に行なうようにしている
【００５９】
前記支持フレーム２０，２０の後端部の下面で、連結枠９，９の両端部の直上位置に箱形の高さ調整ブロック３７が取付けられ、該ブロック３７の内部にネジ孔３８が形成され、該ネジ孔３８に調整ハンドル３９の螺軸４０がねじ込まれている。
前記調整ハンドル３９は円板状に形成され、その下面を連結枠９の上部周面に係合して支持され、前記ハンドル３９を回動操作し螺軸４０の螺合量を調整して、直下の連結枠９と支持フレーム２０との高さＨを調節可能にしている。
そして、この調節後の高さを支持フレーム２０ないし座板１４の前端部の高さから変化させ、座板１４を前上がりまたは前下がり状態、若しくは水平状態に調節し、座板１４の座り心地を調整可能にしている。
この場合、調整ハンドル３９の下面に半球面状の凹部を設け、連結枠９に対し安定した係合を図ることが望ましい。
【００６０】
すなわち、調整ハンドル３９を回動操作し、高さ調整ブロック３７に螺軸４０をねじ込むことによって前記高さＨを低くし（Ｈ1＜Ｈ）、支持フレーム２０ないし座板１４の高さＨを低くする一方、支持フレーム２０ないし座板１４の前端部の高さは変わらないから、座板１４を支持フレームの前端部の枢支部を中心に図１８上時計方向へ回動し、図２２（ｂ）のように前上がりの状態に調節可能にしている。
【００６１】
この反対に、螺軸４０のねじ込み量を抑制し、高さＨ2を高くすることによって（Ｈ1＜Ｈ＜Ｈ2）、支持フレーム２０ないし座板１４の高さＨ2を高位置に維持し、一方、支持フレーム２０ないし座板１４の前端部の高さは変わらないから、座板１４を支持フレーム２０の前端部の枢支部を中心に図１８上反時計方向へ回動し、図２２（ｃ）のように前下がりの状態に調節可能にしている。
このように調整ハンドル３９の回動操作によって、座板１４を前上がりまたは前下がり状態、或いは水平状態に調節し、利用者の好みの座り心地を得られるようにしている。
【００６２】
図２３は本発明の第４の実施形態を示し、この実施形態は第３の実施形態の応用形態に係り、高さ調整ブロック３７の外側面に支軸４１を回動可能に突設し、該支軸４１に操作ハンドル３９と略小判形の偏心カム４２を同動可能に支持している。
前記偏心カム４２の輪郭周面に湾曲状の複数のカム溝４３ａ〜４３ｅを離間して形成し、これらを連結枠９の外周面と係合可能に配置している。前記カム溝４３ａ〜４３ｄは、緩やかな湾曲状に形成され、これらが調整ハンドル３９と同心円位置から偏心部側周面に沿って形成され、調整ハンドル３９の回動操作を介して一のカム溝４３ａ〜４３ｄを選択可能にしている。
【００６３】
そして、偏心カム４２の回動中心からの離心位置に応じて、その偏心距離相当分、高さ調整ブロック３７を押し上げ、支持フレーム２０ないし座板１４の高さを連続的に調整可能にしている。  
すなわち、偏心量が零のカム溝４３ａはカムストロ−クが零で、支持フレーム２０ないし座板１４の高さは変わらず、カム溝４３ａ〜４３ｃは偏心量が次第に増加し、そのカムストロ−クが次第に増加して支持フレーム２０ないし座板１４を徐々に押し上げ、カム溝４３ｄは偏心量が最大で、そのカムストロ−クが最大になり、支持フレーム２０ないし座板１４を最高位置に押し上げる。
【００６４】
したがって、連結枠９にカム溝４３ａを係合する際は、座板１４が前上がりの状態に調節され、連結枠９にカム溝４３ａ〜４３ｃを係合する際は、座板１４の前上がり角度が次第に減少して水平状態に移行し、連結枠９にカム溝４３ｄが係合する際は、座板１４が前下がり状態に調節される。
この実施形態は第３の実施形態に比べ、螺軸４０の上下位置調整の代わりに、偏心カム４２の回動角度によって座板１４の座り心地を容易に連続して調整できるから、この調整操作を簡便に行なえる。
【産業上の利用可能性】
【００６５】
このように本発明の折畳み椅子は、簡単な構成で容易かつ安価に製作でき、また不自然な姿勢を強いられることなく略直立姿勢で座板を容易に折畳め、かつリセットできるとともに、座板上の座り心地を簡便に調節して使用上の利便性を向上し、しかも脚の折畳みを要することなくスタッキング作業を簡便に行なえ、スタッキングスペースをコンパクトにしたものである。
【符号の説明】
【００６６】
２                前脚
３                後脚
４，５            ジョイント
９                連結枠
１１              軸受
１２              枢支孔
１３              支持リンク
【００６７】
１４              座板
２０              支持フレーム
２５              ガイドロッド
２６              連結ジョイント
３５              レバーハンドル
３７              高さ調整ブロック
３９              調整ハンドル
４０              螺軸
【図１】
2017153585.tif 000003
【図２】
2017153585.tif 000004
【図３】
2017153585.tif 000005
【図４】
2017153585.tif 000006
【図５】
2017153585.tif 000007
【図６】
2017153585.tif 000008
【図７】
2017153585.tif 000009
【図８】
2017153585.tif 000010
【図９】
2017153585.tif 000011
【図１０】
2017153585.tif 000012
【図１１】
2017153585.tif 000013
【図１２】
2017153585.tif 000014
【図１３】
2017153585.tif 000015
【図１４】
2017153585.tif 000016
【図１５】
2017153585.tif 000017
【図１６】
2017153585.tif 000018
【図１７】
2017153585.tif 000019
【図１８】
2017153585.tif 000020
【図１９】
2017153585.tif 000021
【図２０】
2017153585.tif 000022
【図２１】
2017153585.tif 000023
【図２２】
2017153585.tif 000024
【図２３】
2017153585.tif 000025
【手続補正書】
【提出日】平成29年7月11日(2017.7.11)
【手続補正１】
【補正対象書類名】明細書
【補正対象項目名】００１３
【補正方法】変更
【補正の内容】
【００１３】
請求項１２の発明は、座板またはその支持フレ−ムの下面に高さ調整ブロックを取付け、該調整ブロックの下面にネジ孔を上下方向に形成し、該ネジ孔に螺合可能な螺軸を突設した調整ハンドルを回動可能に設け、該調整ハンドルの下面を前記連結枠の周面に係合可能に配置し、調整ハンドルの回動操作によって座板またはその支持フレ−ムの高さを調整し、座板またはその支持フレ−ムの前上がり状態や前下がり状態、或いは水平状態を容易に形成して、使用者の好みに応じた座板の座り心地を得られ、使用上の利便性を向上するようにしている。
請求項１３の発明は、座板またはその支持フレ−ムの下面に高さ調整ブロックを取付け、該調整ブロックの側面に調整ハンドルと偏心カムを同期回動可能に軸支し、該調整ハンドルの回動を介して偏心カムの周面を連結枠の周面に係合可能に配置し、調整ハンドルの回動操作によって座板またはその支持フレ−ムの高さを連続的かつ簡便に調整し、使用者の好みに応じた座板の座り心地を得られるようにしている。
請求項１４の発明は、偏心カムの周面に複数のカム溝を設け、該カム溝を連結枠の周面に係合可能に配置し、偏心カムを連結枠の周面に安定して位置付け、使用上の安全性を向上するようにしている。
【手続補正２】
【補正対象書類名】明細書
【補正対象項目名】００１８
【補正方法】変更
【補正の内容】
【００１８】
請求項１２の発明は、座板またはその支持フレ−ムの下面に高さ調整ブロックを取付け、該調整ブロックの下面にネジ孔を上下方向に形成し、該ネジ孔に螺合可能な螺軸を突設した調整ハンドルを回動可能に設け、該調整ハンドルの下面を前記連結枠の周面に係合可能に配置したから、調整ハンドルの回動操作によって座板またはその支持フレ−ムの高さを調整し、座板またはその支持フレ−ムの前上がり状態や前下がり状態、或いは水平状態を容易に形成して、使用者の好みに応じた座板の座り心地を得られ、使用上の利便性を向上することができる。
請求項１３の発明は、座板またはその支持フレ−ムの下面に高さ調整ブロックを取付け、該調整ブロックの側面に調整ハンドルと偏心カムを同期回動可能に軸支し、該調整ハンドルの回動を介して偏心カムの周面を連結枠の周面に係合可能に配置したから、調整ハンドルの回動操作によって座板またはその支持フレ−ムの高さを連続的かつ簡便に調整し、使用者の好みに応じた座板の座り心地を得ることができる。
請求項１４の発明は、偏心カムの周面に複数のカム溝を設け、該カム溝を連結枠の周面に係合可能に配置したから、偏心カムを連結枠の周面に安定して位置付け、使用上の安全性を向上することができる。
【手続補正３】
【補正対象書類名】明細書
【補正対象項目名】００２７
【補正方法】変更
【補正の内容】
【００２７】
前記前脚２，２の下端部でキャスタ−６，６の直上位置に筒状の軸受１１，１１を配置し、その内側に枢支孔１２，１２を形成し、該枢支孔１２，１２に支持リンク１３の屈曲部１３ａ，１３ａを挿入して、枢支孔１２，１２を中心に支持リンク１３を前後方向へ回動可能に支持している。
前記支持リンク１３は、左右一対の円管の一端に屈曲部１３ａを形成し、その他端に直管状の枢支部１３ｂの両端部を連結して逆Ｕ字形状に形成し、前記屈曲部１３ａ，１３ａを軸受１１，１１に回動可能に取付けている。
【手続補正４】
【補正対象書類名】明細書
【補正対象項目名】００６２
【補正方法】変更
【補正の内容】
【００６２】
図２３は本発明の第４の実施形態を示し、この実施形態は第３の実施形態の応用形態に係り、高さ調整ブロック３７の外側面に支軸４１を回動可能に突設し、該支軸４１に調整ハンドル３９と略小判形の偏心カム４２を同動可能に支持している。
前記偏心カム４２の輪郭周面に湾曲状の複数のカム溝４３ａ〜４３ｅが離間して形成され、これらが連結枠９の外周面と係合可能に配置されている。前記カム溝４３ａ〜４３ｄは、緩やかな湾曲状に形成され、これらが調整ハンドル３９と同心円位置から偏心部側周面に沿って形成され、調整ハンドル３９の回動操作を介して一のカム溝４３ａ〜４３ｄを選択可能にしている。
【手続補正５】
【補正対象書類名】特許請求の範囲
【補正対象項目名】請求項１２
【補正方法】変更
【補正の内容】
【請求項１２】
前記座板またはその支持フレ−ムの下面に高さ調整ブロックを取付け、該調整ブロックの下面にネジ孔を上下方向に形成し、該ネジ孔に螺合可能な螺軸を突設した調整ハンドルを回動可能に設け、該調整ハンドルの下面を前記連結枠の周面に係合可能に配置した請求項１０記載の折畳み椅子。
【手続補正６】
【補正対象書類名】特許請求の範囲
【補正対象項目名】請求項１３
【補正方法】変更
【補正の内容】
【請求項１３】
前記座板またはその支持フレ−ムの下面に高さ調整ブロックを取付け、該調整ブロックの側面に調整ハンドルと偏心カムを同期回動可能に軸支し、該調整ハンドルの回動を介して偏心カムの周面を連結枠の周面に係合可能に配置した請求項１０記載の折畳み椅子。